【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
捕虫部分であって、開口部を通って虫が前記捕虫部分に飛び込んでまたは這い込んでよい前記開口部を有するエンクロージャ、及び粘着面を含む捕虫部分と、
電気コンセントに差し込み可能な導電性プロング、内部に配置された発熱体を有する直立エンクロージャ、及び前記直立エンクロージャの底部付近に配置される発光体を含むベース部分と、
を含み、
前記捕虫部分は、前記ベース部分と取り外し可能に係合し、前記発熱体は、前記粘着面の背後に位置して、前記捕虫部分が前記ベース部分と係合するときに前記粘着面を加熱する、
捕虫装置。
【請求項２】
前記発熱体は、１つ以上の電熱線を含む、請求項１に記載の捕虫装置。
【請求項３】
前記１つ以上の電熱線は、前記直立エンクロージャの表面に取り付けられる、請求項２に記載の捕虫装置。
【請求項４】
前記１つ以上の電熱線の抵抗は、より高い温度で上昇する、請求項２に記載の捕虫装置。
【請求項５】
前記１つ以上の電熱線は、同心状パターン、垂直パターン、水平パターン、又は斜めパターンに配置される、請求項２に記載の捕虫装置。
【請求項６】
前記１つ以上の電熱線は、図２０、図２１または図２２のうちの１つに実質的に示すパターンに配置される、請求項２に記載の捕虫装置。
【請求項７】
前記１つ以上の電熱線は、１つ以上の電気的バスに接続される、請求項２に記載の捕虫装置。
【請求項８】
前記１つ以上の電熱線は、導電性ポリマーを含む、請求項２に記載の捕虫装置。
【請求項９】
前記発熱体は、前記直立エンクロージャの表面に配置される金属酸化物の層を含む、請求項１に記載の捕虫装置。
【請求項１０】
前記発熱体は、前記ベース部分の回路基板に接続される、請求項１に記載の捕虫装置。
【請求項１１】
前記発光体は、前記回路基板に接続される、請求項１０に記載の捕虫装置。
【請求項１２】
前記発光体は、１つ以上の発光ダイオードを含む、請求項１０に記載の捕虫装置。
【請求項１３】
前記発光体からの光は、前記ベース部分の開口部を通過する、請求項１０に記載の捕虫装置。
【請求項１４】
前記発光体は、前記直立エンクロージャの内部を照らす、請求項１３に記載の捕虫装置。
【請求項１５】
前記直立エンクロージャは、後側ハウジング及びウィンドウを含む、請求項１４に記載の捕虫装置。
【請求項１６】
前記発光体からの光は、前記ウィンドウを照らす、請求項１５に記載の捕虫装置。
【請求項１７】
前記ウィンドウからの光は、前記粘着面を通過する、請求項１６に記載の捕虫装置。
【請求項１８】
前記捕虫部分の前記エンクロージャは、前記粘着面がコーティングされる板を含む、請求項１７に記載の捕虫装置。
【手続補正２】
【補正対象書類名】明細書
【補正対象項目名】０４６５
【補正方法】変更
【補正の内容】
【０４６５】
本開示の実施形態の上記説明は、当業者が、本開示を実施又は利用できるように提供されている。これらの実施形態に対する様々な改変が、当業者には明らかとなるであろうし、また、本明細書に記載されている一般的原理は、本開示の趣旨又は範囲から逸脱することなく、他の実施形態に適用可能である。よって、本明細書に示されている説明及び図面は、本開示の例示的な実施形態を代表するものであり、よって本開示により幅広く想定される主題の代表例であることが理解されよう。また更に、本開示の範囲は他の実施形態を完全に包含し、したがって本開示の範囲は添付の請求項以外のいかなるものによっても制限されないことが理解されよう。
なお、本開示の実施の態様はつぎのとおりである。
［１］
フレームと粘着面を有する膜を含む捕虫部分であって、該膜は、少なくとも部分的には該フレーム内に収容されており、かつ虫に付着するように構成される、捕虫部分と、
発光素子とハウジング部分を含むベース部分であって、該ハウジング部分は、該捕虫部分と係合されたときに、該捕虫部分を受容し、かつ保持するように構成される、ベース部分と、を含む、捕虫装置。
［２］
前記ベース部分の前記ハウジング部分は、前記捕虫部分を受容する１つ又は２つ以上の位置合わせガイドを含む、［１］に記載の捕虫装置。
［３］
前記位置合わせガイドは、側方チャネル、スロット、フランジ、又は凹部を含む、［１］に記載の捕虫装置。
［４］
前記捕虫部分の前記フレームは、前記膜の外周を実質的に取り囲む境界部を含む、［１］に記載の捕虫装置。
［５］
前記捕虫部分の前記境界部は、前記膜の１辺、２辺、又は３辺を取り囲む、［４］に記載の捕虫装置。
［６］
前記捕虫部分の前記境界部は、側方フランジを含み、かつ前記ベース部分の前記ハウジング部分における１つ又は２つ以上の位置合わせガイド内に受容されるように構成される、［４］に記載の捕虫装置。
［７］
前記フレームは、ユーザーが前記捕虫部分を、前記ベース部分に差し込み可能となるように、かつ、前記ベース部分から取り外し可能となるように構成されるタブを更に含む、［４］に記載の捕虫装置。
［８］
前記捕虫部分は、前記タブを介して前記ベース部分と取り外し可能に係合させるように構成される、［７］に記載の捕虫装置。
［９］
前記ベース部分は、エンクロージャを更に含み、該エンクロージャは、前記捕虫部分を少なくとも部分的に取り囲み、かつ、虫が該エンクロージャ内に入り得るように構成される第１の開口部を含む、［１］に記載の捕虫装置。
［１０］
前記発光素子は、前記捕虫部分の前方に位置する、［１］に記載の捕虫装置。
［１１］
前記エンクロージャは、前記エンクロージャから光が放たれ得るように構成された第２の開口部を含む、［１０］に記載の捕虫装置。
［１２］
前記エンクロージャは、前記光を所定のパターンで配光するよう構成される、［１１］に記載の捕虫装置。
［１３］
前記ベース部分は、電源に接続され、該電源から電力を受け取るように構成された取り付け部分を更に含む、［１］に記載の捕虫装置。
［１４］
前記捕虫部分は、前記捕虫部分が前記ベース部分に係合していないときに、前記捕虫部分の前記膜の少なくとも一部分を覆うように構成されたカバーを更に含む、［１］に記載の捕虫装置。
［１５］
前記捕虫部分は、ヒンジを更に含み、該ヒンジは、前記カバーが開位置及び閉位置へとスイング動作可能となるように構成される、［１４］に記載の捕虫装置。
［１６］
前記カバーが開位置にあるとき、前記カバーは、前記膜の背後に位置し、これにより前記粘着面を露出させる、［１５］に記載の捕虫装置。
［１７］
前記カバーが閉位置にあるとき、前記カバーは、前記膜の前方に位置し、これにより、前記粘着面の少なくとも一部分を覆う、［１５］に記載の捕虫装置。
［１８］
前記カバーは、前記カバーを前記フレームに対して固定する、１つ又は２つ以上の係合機構を含む、［１４］に記載の捕虫装置。
［１９］
前記フレームは、前記カバーを前記フレームに対して固定する、１つ又は２つ以上の受容機構を含む、［１８］に記載の捕虫装置。
［２０］
前記係合機構は、畝、隆起部、リップ、突出部、及び凹部を含む、［１８］に記載の捕虫装置。
［２１］
前記受容機構は、畝、隆起部、リップ、突出部、及び凹部を含む、［１８］に記載の捕虫装置。
［２２］
前記カバーは、じゃばら扉、ローラブラインド、一枚板、シャッター、又は１つ若しくは２つ以上のスラットを含む、［１４］に記載の捕虫装置。
［２３］
前記カバーは、前記ベース部分から前記捕虫部分を取り外す際に、前記捕虫部分の前記膜の少なくとも一部分を自動的に覆うように構成される、［１４］に記載の捕虫装置。
［２４］
前記カバーは、前記捕虫部分を前記ベース部分と係合させた際に、前記捕虫部分の前記膜が自動的に覆われない状態となるように構成される、［１４］に記載の捕虫装置。
［２５］
前記発光素子は、発光ダイオード（ＬＥＤ）を含む、［１］に記載の捕虫装置。
［２６］
前記発光素子は、紫外（ＵＶ）ＬＥＤ及び青色ＬＥＤを含む、［２５］に記載の捕虫装置。
［２７］
前記捕虫部分は、虫誘引剤を含む、［１］に記載の捕虫装置。
［２８］
前記虫誘引剤は、ソルビトール、甲虫類誘引剤、双翅類誘引剤、同翅類誘引剤、鱗翅類、直鎖鱗翅類フェロモン、オイゲノール、メチルオイゲノール、及びシグルアからなる群から選択される、［２７］に記載の捕虫装置。
［２９］
前記捕虫部分は、反射面を更に含む、［１］に記載の捕虫装置。
［３０］
前記膜は、反射面を含む、［２９］に記載の捕虫装置。
［３１］
捕虫部分であって、
粘着面と第１の開口部を有するエンクロージャであって、該粘着面は、該エンクロージャ内に少なくとも部分的に収容され、かつ虫に付着するよう構成され、該エンクロージャは、該エンクロージャに一体化された視覚的インジケータを更に含み、該視覚的インジケータは、捕虫装置の残りの寿命についての指標を提供する、エンクロージャと、
１種類又は２種類以上の虫誘引物質と、を含む、捕虫部分と、
該捕虫部分と取り外し可能に係合するように構成されるベース部分と、を含む、捕虫装置。
［３２］
前記捕虫部分は、前記１種類又は２種類以上の虫誘引物質を覆う取り外し可能なタブを更に含み、前記タブを取り外した際に、前記１種類又は２種類以上の虫誘引物質が前記捕虫装置から放出される、［３１］に記載の捕虫装置。
［３３］
前記視覚的インジケータは、前記捕虫部分内の前記１種類又は２種類以上の虫誘引物質の視認可能な残量を含む、［３１］に記載の捕虫装置。
［３４］
前記１種類又は２種類以上の虫誘引物質は、虫誘引剤と、担体材料と、を含む、［３１］に記載の捕虫装置。
［３５］
前記担体材料は、前記虫誘引剤が消耗した際に、変色するように構成される、［３４］に記載の捕虫装置。
［３６］
前記ベース部分は、
電源に接続され、該電源から電力を受け取るように構成された取り付け部分と、
該電源から電力を受け取り、前記捕虫部分内の前記１種類又は２種類以上の虫誘引物質を加熱するように構成された発熱体と、を更に含む、［３１］に記載の捕虫装置。
［３７］
前記ベース部分は、
前記捕虫装置の動作設定に関するコマンドを実行するプログラム可能プロセッサを有する回路基板を更に含み、
該回路基板は、前記発熱体に接続されており、前記１種類又は２種類以上の虫誘引物質の電気的特性を監視するように構成される、［３６］に記載の捕虫装置。
［３８］
前記回路基板は、前記１種類若しくは２種類以上の虫誘引物質の電気的特性が閾値を上回った場合、又は下回った場合に、前記視覚的インジケータを提供するように構成される、［３７］に記載の捕虫装置。
［３９］
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、［３８］に記載の捕虫装置。
［４０］
前記回路基板に接続されたスピーカを更に含み、前記回路基板は、前記１種類又は２種類以上の虫誘引物質が消耗した場合に、該スピーカから可聴音を発生させるように構成される、［３８］に記載の捕虫装置。
［４１］
前記発熱体は、電気接点、電気抵抗コイル、１つ若しくは２つ以上の抵抗器、１つ若しくは２つ以上の赤外ＬＥＤ、１つ若しくは２つ以上のペルチェ若しくはトムソン効果機器、金属酸化膜、又は印刷された導電性インクを含む、［３６］に記載の捕虫装置。
［４２］
前記プロセッサは、ユーザーから無線でコマンドを受信し、前記捕虫装置の前記動作設定に関する該コマンドを実行するように構成される、［３７］に記載の捕虫装置。
［４３］
前記ユーザーからの前記コマンドは、携帯機器を介して送信可能である、［４２］に記載の捕虫装置。
［４４］
前記ベース部分は、
電源に接続され、該電源から電力を受け取るように構成された取り付け部分と、
該電源から電力を受け取り、前記１種類又は２種類以上の虫誘引物質の電気的特性を監視するように構成されたセンサと、を更に含む、［３１］に記載の捕虫装置。
［４５］
前記ベース部分は、
前記捕虫装置の動作設定に関するコマンドを実行するプログラム可能プロセッサを有する回路基板を更に含み、
該回路基板は、前記センサに接続されている、［４４］に記載の捕虫装置。
［４６］
前記回路基板は、前記１種類若しくは２種類以上の虫誘引物質の電気的特性が閾値を上回った場合、又は下回った場合に、前記視覚的インジケータを提供するように構成される、［４５］に記載の捕虫装置。
［４７］
前記回路基板に接続された発光素子を更に含み、前記回路基板は、前記１種類又は２種類以上の虫誘引物質が消耗した場合に、前記視覚的インジケータとして、前記発光素子を点滅させるか、又は変色させるように構成される、［４６］に記載の捕虫装置。
［４８］
前記回路基板に接続されたスピーカを更に含み、前記回路基板は、前記１種類又は２種類以上の虫誘引物質が消耗した場合に、該スピーカから可聴音を発生させるように構成される、［４６］に記載の捕虫装置。
［４９］
前記センサは、電圧検出器、電流検出器、インピーダンス検出器、ｐＨセンサ、又は水分検出器を含む、［４４］に記載の捕虫装置。
［５０］
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されたベース部分と、
該捕虫部分又は該ベース部分内に受容されるように構成される、取り外し可能な虫誘引剤カートリッジと、を含む、捕虫装置。
［５１］
前記ベース部分は、前記虫誘引剤カートリッジを受容するように構成された開口部を含む、［５０］に記載の捕虫装置。
［５２］
前記取り外し可能な虫誘引剤カートリッジと連通した発熱体を更に含み、該発熱体は、前記虫誘引剤が放出される速度を増加させるように構成される、［５０］に記載の捕虫装置。
［５３］
前記虫誘引剤カートリッジは、においカートリッジ、２種型においカートリッジ、１チャンバ式コンテナ、又は２チャンバ式コンテナを含む、［５０］に記載の捕虫装置。
［５４］
前記虫誘引剤カートリッジは、１チャンバ式、又は２チャンバ式コンテナと、芯と、を含み、前記虫誘引剤は、蒸発性液体誘引剤を含む、［５３］に記載の捕虫装置。
［５０］
前記１つ又は２つのチャンバは、ユーザーが前記蒸発性液体誘引剤の残量を確認できるように、透明又は半透明である、［５４］に記載の捕虫装置。
［５６］
前記蒸発性液体誘引剤は、着色又は染色した液体を含む、［５５］に記載の捕虫装置。
［５７］
前記１つ又は２つのチャンバは、視覚的インジケータを含み、該視覚的インジケータは、前記チャンバ内の液体誘引剤の量を示す１本又は２本以上の残量線を提供する、［５４］に記載の捕虫装置。
［５８］
前記虫誘引剤カートリッジは、前記捕虫装置に装着するように構成された装着部分を更に含む、［５３］に記載の捕虫装置。
［５９］
前記捕虫装置は、前記芯と連通した発熱体を更に含み、該発熱体は、放射、伝導、又は対流によって前記虫誘引剤を加熱する、［５４］に記載の捕虫装置。
［６０］
前記虫誘引剤カートリッジは、２チャンバ式コンテナと、芯と、を含み、該２つのチャンバは、２種類の異なる虫誘引剤、２成分虫誘引剤の各１成分、又は、虫誘引剤と中和剤とを保持するように構成される、［５３］に記載の捕虫装置。
［６１］
前記２つのチャンバは、第１の時間に第１の虫誘引剤を、第２の時間に第２の虫誘引剤を放出する、［６０］に記載の捕虫装置。
［６２］
前記第１及び第２の虫誘引剤は、断続的な時間間隔で放出される、［６１］に記載の捕虫装置。
［６３］
前記ベース部分は、
前記取り外し可能な虫誘引剤カートリッジに穴を開けるように構成された突出部を更に含む、［５０］に記載の捕虫装置。
［６４］
粘着面と第１の開口部を有するエンクロージャを含む捕虫部分であって、該粘着面は、該エンクロージャ内に少なくとも部分的に収容され、かつ虫に付着するよう構成される、捕虫部分と、
複数の係合機構により該捕虫部分と取り外し可能に係合するように構成されるベース部分と、を含む、捕虫装置。
［６５］
前記係合機構は、前記捕虫装置の前記ベース部分に位置するスナップ及びフックを含む、［６４］に記載の捕虫装置。
［６６］
前記係合機構は、前記捕虫装置の前記捕虫部分に位置するスナップ凹部及びフック凹部を更に含む、［６５］に記載の捕虫装置。
［６７］
前記捕虫装置は、前記捕虫部分、及び／又は前記ベース部分において把持部を更に含む、［６４］に記載の捕虫装置。
［６８］
前記把持部は、指をかけるための側方凹部、溝、畝、隆起部、又は波状部を含む、［６７］に記載の捕虫装置。
［６９］
前記ベース部分は、
電源に接続され、該電源から電力を受け取るように構成された取り付け部分を更に含み、
前記ベース部分は、前記捕虫装置が、壁面に取り付けられた際に、該壁面と同一平面となるように、該取り付け部分に近接する凹部領域を含む、［６４］に記載の捕虫装置。
［７０］
前記エンクロージャは、第２の開口部を更に含み、前記第１の開口部は、前記エンクロージャの前面に位置し、該第２の開口部は、前記エンクロージャの側面に位置する、［６４］に記載の捕虫装置。
［７１］
粘着面と第１の開口部を有するエンクロージャを含む捕虫部分であって、該粘着面は、該エンクロージャ内に少なくとも部分的に収容され、かつ虫に付着するよう構成され、該エンクロージャは、
前側ハウジング部分と、
後側ハウジング部分と、
該前側ハウジング部分と該後側ハウジング部分との間に少なくとも部分的に配置されるディバイダ部分と、を含み、該ディバイダ部分は、該エンクロージャを前側エンクロージャ部分と後側エンクロージャ部分とに分割する、捕虫部分と、
該捕虫部分と取り外し可能に係合するように構成されるベース部分と、
該エンクロージャ内に位置する蒸発性虫誘引剤と、を含む、捕虫装置。
［７２］
前記蒸発性誘引剤は、固体、液体、ゲル、又は懸濁物を含む、［７１］に記載の捕虫装置。
［７３］
前記蒸発性虫誘引剤は、前記捕虫部分の前記後側エンクロージャ部分に位置する、［７１］に記載の捕虫装置。
［７４］
捕虫部分は、非係合時に、前記後側エンクロージャ部分を覆い、前記捕虫装置からの前記蒸発性虫誘引剤の漏出を防ぐ、保護キャップを更に含む、［７３］に記載の捕虫装置。
［７５］
前記後側エンクロージャ部分は、前記蒸発性虫誘引剤を蒸発させる芯を更に含む、［７３］に記載の捕虫装置。
［７６］
前記ベース部分は、
前記芯と連通した発熱体を更に含み、該発熱体は、放射、伝導、又は対流によって前記虫誘引剤を加熱する、［７５］に記載の捕虫装置。
［７７］
前記ベース部分は、
電源に接続され、該電源から電力を受け取るように構成された取り付け部分を更に含み、
前記発熱体は、前記電源から電力を受け取り、前記芯の少なくとも一部分を加熱するように構成される、［７６］に記載の捕虫装置。
［７８］
前記捕虫部分の前記前側エンクロージャ部分は、前記ベース部分と連通する複数の開口部を含み、該開口部は、蒸発した虫誘引剤を前記ベース部分から前記捕虫部分へと移動させるように構成される、［７６］に記載の捕虫装置。
［７９］
前記蒸発した虫誘引剤は、前記捕虫部分における前記第１の開口部から放出される、［７８］に記載の捕虫装置。
［８０］
前記ディバイダ部分は、視覚的インジケータを含み、該視覚的インジケータは、前記捕虫装置内の虫誘引剤の量を示す１本又は２本以上の残量線を提供する、［７１］に記載の捕虫装置。
［８１］
前記虫誘引剤は、着色又は染色した液体を含む、［７１］に記載の捕虫装置。
［８２］
前記ディバイダ部分は、第１の膜と、
該第１の膜に穴を開けるように構成された突出部と、を含む、［７１］に記載の捕虫装置。
［８３］
前記ディバイダ部分は、第２の膜を含む、［８２］に記載の捕虫装置。
［８４］
前記第１の膜は、バリヤ膜を含み、前記第２の膜は、吸収性膜を含む、［８３］に記載の捕虫装置。
［８５］
前記吸収性膜は、後側エンクロージャ部分に近接し、後側エンクロージャ部分は、前記蒸発性虫誘引剤を保持する、［８４］に記載の捕虫装置。
［８６］
前記吸収性膜は、前記突出部が前記バリヤ膜に穴を開けた際に、前記蒸発性虫誘引剤を吸収するように構成される、［８５］に記載の捕虫装置。
［８７］
前記ディバイダ部分は、視覚的インジケータを含み、該視覚的インジケータは、前記捕虫装置内の虫誘引剤の量を示す１本又は２本以上の残量線を提供する、［７１］に記載の捕虫装置。
［８８］
前記ベース部分は、前記エンクロージャに光を提供するように構成された発光素子を含み、該発光素子は、電源に接続され、該電源から電力を受け取るように構成される、［８７］に記載の捕虫装置。
［８９］
粘着面と第１の開口部を有するエンクロージャを含む捕虫部分であって、該粘着面は、該エンクロージャ内に少なくとも部分的に収容され、かつ虫に付着するよう構成される、捕虫部分と、
該捕虫部分と取り外し可能に係合するように構成されるベース部分と、
該捕虫部分又は該ベース部分に受容されるように構成される、リザーバアセンブリと、
リザーバアセンブリに穴を開け、該リザーバアセンブリの内容物を活性化するように構成されたパンチと、を含む、捕虫装置。
［９０］
前記リザーバアセンブリは、前記捕虫部分内に位置し、前記パンチは、前記ベース部分に位置する、［８９］に記載の捕虫装置。
［９１］
前記パンチは、前記パンチの長さ方向の一部分にわたって延びる複数の溝を有する、［８９］に記載の捕虫装置。
［９２］
前記パンチは、前記リザーバアセンブリに穴を開けた際に、前記リザーバアセンブリに対する封止部として機能するように構成される、［８９］に記載の捕虫装置。
［９３］
前記リザーバアセンブリは、第１のチャンバと、第２のチャンバと、を含む、［８９］に記載の捕虫装置。
［９４］
前記第１のチャンバは、砂糖水を含み、前記第２のチャンバは、酵母培養物を含む、［９３］に記載の捕虫装置。
［９５］
前記パンチは、穴を開けて、前記第１のチャンバから前記第２のチャンバへの通路を形成するように構成される、［９４］に記載の捕虫装置。
［９６］
前記リザーバアセンブリの前記活性化された内容物は、二酸化炭素を産生する、［９５］に記載の捕虫装置。
［９７］
前記二酸化炭素は、前記捕虫部分における前記第１の開口部から放出される、［９６］に記載の捕虫装置。
［９８］
粘着面を有するハウジングを含む捕虫部分であって、該粘着面は、少なくとも部分的には該ハウジング内に収容されており、かつ虫に付着するように構成される、捕虫部分と、
ベース部分であって、
電源に接続され、該電源から電力を受け取るように構成された取り付け部分と、
該電源から電力を受け取り、該捕虫部分の該粘着面を加熱するように構成された発熱体と、を含む、ベース部分と、を含み、
該ベース部分は、該捕虫部分と取り外し可能に係合するよう構成される、捕虫装置。
［９９］
前記発熱体は、前記粘着面に所定の発熱プロファイルを付与するように構成された、１本又は２本以上の電熱線を含む、［９８］に記載の捕虫装置。
［１００］
前記１本又は２本以上の電熱線は、同心状パターン、垂直パターン、水平パターン、又は迷路パターンを含むパターンに配置される、［９９］に記載の捕虫装置。
［１０１］
前記所定の発熱プロファイルは、均一パターン又は不均一パターンを含む、［９９］に記載の捕虫装置。
［１０２］
前記１本又は２本以上の電熱線は、導電性ポリマー、自己補正性導電性ポリマー、金属、又は金属酸化物から構成される、［９９］に記載の捕虫装置。
［１０３］
前記電熱線は、前記粘着面の温度を、およそ３０℃〜およそ４５℃に維持するように構成される、［９９］に記載の捕虫装置。
［１０４］
前記電熱線は、前記粘着面の温度を、およそ３３℃〜およそ４２℃に維持するように構成される、［１０３］に記載の捕虫装置。
［１０５］
前記ベース部分は、前記捕虫部分の前記粘着面を照らすように構成された発光素子を更に含む、［９８］に記載の捕虫装置。
［１０６］
捕虫部分であって、
粘着面を有するハウジングであって、該粘着面は、少なくとも部分的には該ハウジング内に収容されており、かつ虫に付着するように構成される、ハウジングと、
該粘着面を加熱するように構成された発熱体と、を含む、捕虫部分と、
電源から電力を受け取るように構成され、かつ該発熱体に該電力を供給するように構成された取り付け部分を含むベース部分と、を含み、
該ベース部分は、該捕虫部分と取り外し可能に係合するよう構成される、捕虫装置。
［１０７］
前記発熱体は、前記粘着面に所定の発熱プロファイルを付与するように構成された、１本又は２本以上の電熱線を含む、［１０６］に記載の捕虫装置。
［１０８］
前記１本又は２本以上の電熱線は、同心状パターン、垂直パターン、水平パターン、又は迷路パターンを含むパターンに配置される、［１０７］に記載の捕虫装置。
［１０９］
前記所定の発熱プロファイルは、均一パターン又は不均一パターンを含む、［１０７］に記載の捕虫装置。
［１１０］
前記１本又は２本以上の電熱線は、導電性ポリマー、自己補正性導電性ポリマー、金属、又は金属酸化物から構成される、［１０７］に記載の捕虫装置。
［１１１］
前記電熱線は、前記粘着面の温度を、およそ３０℃〜およそ４５℃に維持するように構成される、［１０７］に記載の捕虫装置。
［１１２］
前記電熱線は、前記粘着面の温度を、およそ３３℃〜およそ４２℃に維持するように構成される、［１１１］に記載の捕虫装置。
［１１３］
前記ベース部分は、前記捕虫部分の前記粘着面を照らすように構成された発光素子を更に含む、［１０６］に記載の捕虫装置。